(57)【要約】【課題】  光モニタへの入射光量のばらつきをなくして、光出力の制御を安定して行うことができる光ピックアップ装置を提供すること。【解決手段】  この光ピックアップ装置は、第１の光源１から放射される光ビームを反射して対物レンズ８に導くと共に第２の光源２から放射される光ビームを透過して対物レンズ８に導く波長選択膜５を備える。この波長選択膜５には、上記第１の光源１から放射される光ビームの一部を透過させる部分透過膜１０と、上記第２の光源２から放射される光ビームの一部を反射させる部分反射膜１１とが設けられる。そして、上記第１の光源１からの光ビームは、上記部分透過膜１０のみから光モニタ７に入射し、上記第２の光源２からの光ビームは、上記部分反射膜１１のみから光モニタ７に入射するので、上記光モニタ７にて正確な光量を検出できる。【選択図】  図１
2005122848.tif 000002
【特許請求の範囲】
【請求項１】
波長の異なる光ビームを夫々放射する第１と第２の光源と、
この第１と第２の光源から放射される光ビームを受けて光記録媒体上に収束させる対物レンズと、
上記第１と第２の光源と上記対物レンズとの間の光路に配置され、上記第１の光源から放射される光ビームを略全て反射して上記対物レンズに導くと共に上記第２の光源から放射される光ビームを略全て透過して上記対物レンズに導く反射透過領域と、上記第１の光源から放射される光ビームの一部を略全て透過させる透過領域と、上記第２の光源から放射される光ビームの一部を略全て反射させる反射領域とを有する光分離部材と、
上記透過領域にて透過された上記第１の光源からの光ビームの一部と、上記反射領域にて反射された上記第２の光源からの光ビームの一部とを受光する光モニタと
を備えることを特徴とする光ピックアップ装置。
【請求項２】
請求項１に記載の光ピックアップ装置において、
上記反射領域は、上記第２の光源から放射されて上記光記録媒体に集光点を形成する光束の外側に位置し、上記反射領域には、上記光束の外側の光ビームが照射されることを特徴とする光ピックアップ装置。
【請求項３】
波長の異なる光ビームを夫々放射する第１と第２の光源と、
この第１と第２の光源から放射される光ビームを受けて光記録媒体上に収束させる対物レンズと、
上記第１と第２の光源と上記対物レンズとの間の光路に配置され、上記第１の光源から放射される光ビームを略全て反射して上記対物レンズに導くと共に上記第２の光源から放射される光ビームを略全て透過して上記対物レンズに導く第１の反射透過領域と、上記第１の光源から放射される光ビームの一部を略全て透過させると共に上記第２の光源から放射される光ビームの一部を略全て反射させる第２の反射透過領域とを有する光分離部材と、
上記第２の反射透過領域にて透過された上記第１の光源からの光ビームの一部と、上記第２の反射透過領域にて反射された上記第２の光源からの光ビームの一部とを受光する光モニタと
を備えることを特徴とする光ピックアップ装置。
【請求項４】
請求項３に記載の光ピックアップ装置において、
上記第２の反射透過領域は、上記第２の光源から放射されて上記光記録媒体に集光点を形成する光束の外側に位置し、上記第２の反射透過領域には、上記光束の外側の光ビームが照射されることを特徴とする光ピックアップ装置。
【発明の詳細な説明】
【技術分野】
【０００１】
この発明は、例えば、ＣＤ（コンパクトディスク）、ＤＶＤ（デジタルビデオディスク）等の光記録媒体に対する情報の書き込みや読み出しや消去を行うための光ピックアップ装置に関する。
【背景技術】
【０００２】
光ディスクの記録や再生を行う装置としては、２種類の光ディスクの記録や再生を共に行い得るものがある。但し、各種類の光ディスクに応じて、それぞれの波長のレーザ光を用いる必要がある。このため、例えば、ＣＤ及びＤＶＤの記録や再生をともに行う場合は、ＣＤに対する情報の書き込みや読み出しを行うためのレーザ光と、ＤＶＤに対する情報の書き込みや読み出しを行うためのレーザ光とを共に備えた光ピックアップ装置を用いる必要がある。
【０００３】
従来の光ピックアップ装置は、図３に示すように、情報再生用の波長λ１のレーザ光を出射する第１の光源１０１と、情報記録再生用の波長λ２のレーザ光を出射する第２の光源１０２と、２つの三角プリズム１０３、１０４を波長選択膜１０５を介して貼り合わせて形成された光分離素子１０６と、光モニタ１０７と、対物レンズ１０８とを備える（例えば、特許文献１（特開平８−１０２０８０号公報）、特許文献２（特開平１０−２８３６６０号公報）参照）。
【０００４】
上記波長選択膜１０５は、上記第１の光源１０１からの波長λ１のレーザ光をほとんど反射すると共にこのレーザ光の数％を透過する。このため、この波長λ１のレーザ光のほとんどは、上記波長選択膜１０５で反射されて、上記対物レンズ１０８によって、ディスク１０９に照射される。また、この波長λ１のレーザ光の数％は、上記波長選択膜１０５で透過されて、上記第１の光源１０１と同一のパッケージ内に設けられた図示しない光モニタに入射してその光量が検出される。
【０００５】
また、上記波長選択膜１０５は、上記第２の光源１０２からの波長λ２のレーザ光をほとんど透過すると共にこのレーザ光の数％を反射する。このため、この波長λ２のレーザ光のほとんどは、上記波長選択膜１０５で透過されて、上記対物レンズ１０８によって、ディスク１０９に照射される。また、この波長λ２のレーザ光の数％は、上記波長選択膜１０５で反射されて、上記光モニタ１０７に入射してその光量が検出される。
【０００６】
上記第１の光源１０１用の光モニタおよび上記第２の光源１０２用の光モニタ１０７にて検出されて光電変換された信号は、図示しないＡＰＣ（Ａｕｔｏｍａｔｉｃ  Ｐｏｗｅｒ  Ｃｏｎｔｒｏｌ）回路（自動電力制御回路）によって、それぞれの光源１０１，１０２にフィードバックされて、光出力の制御が行われる。このＡＰＣ回路は、光ピックアップ装置内または光ピックアップ装置外に設けられる。
【０００７】
しかしながら、上記従来の光ピックアップ装置では、上記第２の光源１０２からのレーザ光の数％を上記波長選択膜１０５によって反射させて上記光モニタ１０７に導いているため、上記波長選択膜１０５を透過して上記対物レンズ１０８によって上記ディスク１０９上に照射される上記第２の光源１０２からのレーザ光の光量が、低下する。
【０００８】
ここで、上記ディスク１０９に情報の記録および再生を行うためには、上記第２の光源１０２から上記ディスク１０９へ出来るだけ多くの光を効率的に照射する必要があり、波長λ２に対する上記波長選択膜１０５の反射率を出来るだけ小さく設計する必要がある。
【０００９】
そして、この波長λ２に対する上記波長選択膜１０５の反射率の設計値としては、例えば、５％程度の値が選択されるが、現状の量産技術では、上記波長選択膜１０５の反射率には、±４％程度のばらつきがある。
【００１０】
すなわち、この反射率としては、１％から９％の幅でばらつくことになって、上記光モニタ１０７への入射光量は９倍のばらつきとなり、上記ＡＰＣ回路に要されるダイナミックレンジが大きくなるという欠点を有していた。さらに、上記反射率が小さくなる方向にばらついた場合、上記光モニタ１０７への光量が低下し、光モニタ信号のＳ／Ｎが低下するという問題が避けられなかった。
【００１１】
また、上記第２の光源１０２の波長λ２は、温度変化等により変動することから、上記波長選択膜１０５による波長λ２の反射率が変動して、上記光モニタ１０７への入射光量が変動する。一般に、この反射率を上述したように低く設定すると、波長変化による反射率の変動が大きくなる。このため、上記第２の光源１０２の光量を上記光モニタ１０７で正確に検出できないという問題があった。
【００１２】
一方、上記第１の光源１０１からのレーザ光の数％を上記波長選択膜１０５によって透過させて上記光モニタに導いているため、上記波長選択膜１０５を反射して上記対物レンズ１０８によって上記ディスク１０９上に照射される上記第１の光源１０１からのレーザ光の光量が、低下する。そして、この波長選択膜１０５の波長λ１に対する透過率を小さくした場合、この透過率にばらつきが生じて、上記光モニタへの入射光量がばらついて、上述したような問題が生じていた。
【００１３】
また、上記第１の光源１０１と上記第２の光源１０２とで、別の光モニタを準備する必要があった。
【特許文献１】特開平８−１０２０８０号公報
【特許文献２】特開平１０−２８３６６０号公報
【発明の開示】
【発明が解決しようとする課題】
【００１４】
そこで、この発明の課題は、波長選択膜の反射率や透過率の影響をなくすことで、光モニタへの入射光量のばらつきをなくして、光出力の制御を安定して行うことができる光ピックアップ装置を提供することにある。
【課題を解決するための手段】
【００１５】
上記課題を解決するため、この発明の光ピックアップ装置は、
波長の異なる光ビームを夫々放射する第１と第２の光源と、
この第１と第２の光源から放射される光ビームを受けて光記録媒体上に収束させる対物レンズと、
上記第１と第２の光源と上記対物レンズとの間の光路に配置され、上記第１の光源から放射される光ビームを略全て反射して上記対物レンズに導くと共に上記第２の光源から放射される光ビームを略全て透過して上記対物レンズに導く反射透過領域と、上記第１の光源から放射される光ビームの一部を略全て透過させる透過領域と、上記第２の光源から放射される光ビームの一部を略全て反射させる反射領域とを有する光分離部材と、
上記透過領域にて透過された上記第１の光源からの光ビームの一部と、上記反射領域にて反射された上記第２の光源からの光ビームの一部とを受光する光モニタと
を備えることを特徴としている。
【００１６】
この発明の光ピックアップ装置によれば、上記光分離部材が、上記透過領域と上記反射領域とを有しているので、上記第１の光源からの光ビームは、上記透過領域のみから上記光モニタに入射し、上記第２の光源からの光ビームは、上記反射領域のみから上記光モニタに入射する。
【００１７】
したがって、上記第１と第２の光源から上記光モニタへ一定割合の光量のレーザ光を入射できて、上記光モニタにて正確な光量を検出でき、上記第１と第２の光源の光出力の制御を安定して行うことができる。具体的に述べると、ＡＰＣ回路に要されるダイナミックレンジを小さくしたり、光モニタ信号のＳ／Ｎを向上できる。また、上記光分離部材の製造段階において、反射率や透過率のばらつきをなくして、精度の高い製品を製造することができる。また、上記透過領域の面積と上記反射領域の面積とを変えることにより、上記第１と第２の光源から上記光モニタへの光量を、個別に、バランスよく、簡単に調整することができる。もちろん、上記光モニタへの光量を少なくして上記光記録媒体への光量を多くでき、上記光記録媒体への情報の記録や再生や消去に好適となる。
【００１８】
また、一実施形態の光ピックアップ装置では、上記反射領域は、上記第２の光源から放射されて上記光記録媒体に集光点を形成する光束の外側に位置し、上記反射領域には、上記光束の外側の光ビームが照射されている。
【００１９】
この一実施形態の光ピックアップ装置によれば、上記光記録媒体に集光点を形成しない上記第２の光源からの光ビームを上記光モニタに導くことができ、光量損失が無く、高倍速記録ディスクシステムに有用となる。
【００２０】
また、一実施形態の光ピックアップ装置では、上記透過領域は、上記第１の光源から放射されて上記光記録媒体に集光点を形成する光束の外側に位置し、上記透過領域には、上記光束の外側の光ビームが照射されている。
【００２１】
この一実施形態の光ピックアップ装置によれば、上記光記録媒体に集光点を形成しない上記第１の光源からの光ビームを上記光モニタに導くことができ、光量損失が無く、高倍速記録ディスクシステムに有用となる。
【００２２】
また、一実施形態の光ピックアップ装置では、
波長の異なる光ビームを夫々放射する第１と第２の光源と、
この第１と第２の光源から放射される光ビームを受けて光記録媒体上に収束させる対物レンズと、
上記第１と第２の光源と上記対物レンズとの間の光路に配置され、上記第１の光源から放射される光ビームを略全て反射して上記対物レンズに導くと共に上記第２の光源から放射される光ビームを略全て透過して上記対物レンズに導く第１の反射透過領域と、上記第１の光源から放射される光ビームの一部を略全て透過させると共に上記第２の光源から放射される光ビームの一部を略全て反射させる第２の反射透過領域とを有する光分離部材と、
上記第２の反射透過領域にて透過された上記第１の光源からの光ビームの一部と、上記第２の反射透過領域にて反射された上記第２の光源からの光ビームの一部とを受光する光モニタと
を備えることを特徴としている。
【００２３】
この一実施形態の光ピックアップ装置によれば、上記光分離部材が、上記第２の反射透過領域を有しているので、上記第１の光源からの光ビームは、上記第２の反射透過領域のみから上記光モニタに入射し、上記第２の光源からの光ビームは、上記第２の反射透過領域のみから上記光モニタに入射する。
【００２４】
したがって、上記第１と第２の光源から上記光モニタへ一定割合の光量のレーザ光を入射できて、上記光モニタにて正確な光量を検出でき、上記第１と第２の光源の光出力の制御を安定して行うことができる。具体的に述べると、ＡＰＣ回路に要されるダイナミックレンジを小さくしたり、光モニタ信号のＳ／Ｎを向上できる。また、上記光分離部材の製造段階において、反射率や透過率のばらつきをなくして、精度の高い製品を製造することができる。また、上記第２の反射透過領域は、上記第１の光源からの光ビームの透過と、上記第２の光源からの光ビームの反射とを兼用しているので、上記光分離部材を小さくできて、上記光分離部材の材料費および製造費を削減できる。また、上記第２の反射透過領域の面積を変えることにより、上記光モニタへの光量を簡単に調整することができる。もちろん、上記光モニタへの光量を少なくして上記光記録媒体への光量を多くでき、上記光記録媒体への情報の記録や再生や消去に好適となる。
【００２５】
また、一実施形態の光ピックアップ装置では、上記第２の反射透過領域は、上記第２の光源から放射されて上記光記録媒体に集光点を形成する光束の外側に位置し、上記第２の反射透過領域には、上記光束の外側の光ビームが照射されている。
【００２６】
この一実施形態の光ピックアップ装置によれば、上記光記録媒体に集光点を形成しない上記第２の光源からの光ビームを上記光モニタに導くことができ、光量損失が無く、高倍速記録ディスクシステムに有用となる。
【００２７】
また、一実施形態の光ピックアップ装置では、上記第２の反射透過領域は、上記第１の光源から放射されて上記光記録媒体に集光点を形成する光束の外側に位置し、上記第２の反射透過領域には、上記光束の外側の光ビームが照射されている。
【００２８】
この一実施形態の光ピックアップ装置によれば、上記光記録媒体に集光点を形成しない上記第１の光源からの光ビームを上記光モニタに導くことができ、光量損失が無く、高倍速記録ディスクシステムに有用となる。
【発明の効果】
【００２９】
この発明の光ピックアップ装置によれば、上記光分離部材が、上記透過領域および上記反射領域、または、上記第２の反射透過領域を有しているので、上記第１と第２の光源から上記光モニタへ一定割合の光量のレーザ光を入射できて、上記光モニタにて正確な検出ができ、上記第１と第２の光源の光出力の制御を安定して行うことができる。
【発明を実施するための最良の形態】
【００３０】
以下、この発明を図示の実施の形態により詳細に説明する。
【００３１】
（第１の実施形態）
図１は、この発明の光ピックアップ装置の一実施形態である簡略構成図を示している。この光ピックアップ装置は、第１と第２の光記録媒体９，１２に対して情報の書き込みや読み出しや消去を行う装置であって、第１と第２の光源１，２と、対物レンズ８と、上記第１と第２の光源１，２と上記対物レンズ８との間の光路に配置された光分離手段６と、光モニタ７とを備える。
【００３２】
上記第１の光記録媒体９として、例えば、ＤＶＤ（デジタルビデオディスク）を用い、このＤＶＤに対して情報の書き込み等を行うためのレーザ光の波長λ１は、６５０ｎｍである。
【００３３】
上記第２の光記録媒体１２として、例えば、ＣＤ（コンパクトディスク）を用い、このＣＤに対して情報の書き込み等を行うためのレーザ光の波長λ２は、７８０ｎｍである。
【００３４】
上記第１の光源１は、例えば、半導体レーザであり、波長λ１のレーザ光（光ビーム）を放射する。上記第２の光源２は、例えば、半導体レーザであり、波長λ２のレーザ光（光ビーム）を放射する。
【００３５】
上記対物レンズ８は、上記第１の光源１から放射される光ビームを受け、上記第１の光記録媒体９上に収束させて、第１の集光点１３を形成すると共に、上記第２の光源２から放射される光ビームを受け、上記第２の光記録媒体１２上に収束させて、第２の集光点１４を形成する。
【００３６】
上記光分離手段６は、２つの三角プリズム３，４と光分離部材２０とを備え、この２つの三角プリズム３，４のそれぞれの底辺は、この光分離部材２０を介して貼り合わされる。
【００３７】
この光分離部材２０は、波長選択膜５と、この波長選択膜５の一部に設けられた部分透過膜１０および部分反射膜１１とを備える。上記波長選択膜５、上記部分透過膜１０および上記部分反射膜１１は、例えば、二酸化ケイ素膜や二酸化チタン膜等から形成される。
【００３８】
この波長選択膜５は、上記第１の光源１から放射される波長λ１の光ビームを略全て反射して上記対物レンズ８に導くと共に、上記第２の光源２から放射される波長λ２の光ビームを略全て透過して上記対物レンズ８に導く。
【００３９】
上記部分透過膜１０は、上記第１の光源１から放射される波長λ１の光ビームの一部を略全て透過させ、上記部分反射膜１１は、上記第２の光源２から放射される波長λ２の光ビームの一部を略全て反射させる。
【００４０】
上記光モニタ７は、上記部分透過膜１０にて透過された上記第１の光源１からの光ビームの一部（第１のモニタ光１５）と、上記部分反射膜１１にて反射された上記第２の光源２からの光ビームの一部（第２のモニタ光１６）とを受光する。
【００４１】
この光モニタ７は、上記第１の光源１および上記第２の光源２からの光量を検出し、この光量に基づいて、図示しないＡＰＣ回路（自動電力制御回路）によって、上記第１と第２の光源１，２の光量が自動的に調節される。
【００４２】
上記構成の光ピックアップ装置によれば、上記光分離部材２０が、上記部分透過膜１０と上記部分反射膜１１とを有しているので、上記第１の光源１からの光ビームは、上記部分透過膜１０のみから上記光モニタ７に入射し、上記第２の光源２からの光ビームは、上記部分反射膜１１のみから上記光モニタ７に入射する。
【００４３】
したがって、上記第１と第２の光源１，２から上記光モニタ７へ一定割合の光量のレーザ光を入射できて、上記光モニタ７にて正確な検出ができ、上記第１と第２の光源１，２の光出力の制御を安定して行うことができる。また、上記部分透過膜１０の面積と上記部分反射膜１１の面積とを変えることにより、上記第１と第２の光源１，２から上記光モニタ７への光量を、個別に、バランスよく、簡単に調整することができる。
【００４４】
さらに詳説すると、上記第１の光源１から放射されて上記第１の光記録媒体９に上記第１の集光点１３を形成する光束にて上記光分離部材２０に照射されて形成される第１の光有効領域は、上記第２の光源２から放射されて上記第２の光記録媒体１２に上記第２の集光点１４を形成する光束にて上記光分離部材２０に照射されて形成される第２の光有効領域よりも大きくなっている。
【００４５】
そして、上記部分透過膜１０および上記部分反射膜１１は、上記第１の光有効領域の内側で、かつ、上記第２の光有効領域の外側に位置する。また、上記部分透過膜１０と上記部分反射膜１１とは隣接し、上記部分透過膜１０は、上記部分反射膜１１よりも外側に位置する。すなわち、上記部分反射膜１１は、上記第２の光源２から放射されて上記第２の光記録媒体１２に上記第２の集光点１４を形成する光束の外側に位置し、上記部分反射膜１１には、上記光束の外側の光ビームが照射されている。
【００４６】
したがって、上記第２の光記録媒体１２に上記第２の集光点１４を形成しない上記第２の光源２からの光ビームを上記光モニタ７に導くことができ、光量損失が無く、高倍速記録ディスクシステムに有用となる。
【００４７】
要するに、上記構成の光ピックアップ装置では、上記波長選択膜５における上記部分透過膜１０および上記部分反射膜１１を除く部分にて、上記第１の光源１から放射される光ビームを略全て反射して上記対物レンズ８に導くと共に上記第２の光源２から放射される光ビームを略全て透過して上記対物レンズ８に導く反射透過領域Ｚが形成される。また、上記部分透過膜１０にて、上記第１の光源１から放射される光ビームの一部を略全て透過させる透過領域Ｐが形成される。また、上記部分反射膜１１にて、上記第２の光源２から放射される光ビームの一部を略全て反射させる反射領域Ｒが形成される。
【００４８】
ここで、例えば、上記部分反射膜１１が、上記波長選択膜５の一面に貼り付けられているとすると、上記波長選択膜５の他面側では、上記第１の光源１からの光ビームを反射することになる。すなわち、上記反射領域Ｒでは、上記第２の光源２から放射される光ビームの一部を略全て反射させることに加えて、上記第１の光源１から放射される光ビームを略全て反射する。
【００４９】
なお、図示しないが、上記部分透過膜１０を上記第１の光有効領域の外側に位置するようにしてもよい。すなわち、上記部分透過膜１０は、上記第１の光源１から放射されて上記第１の光記録媒体９に上記第１の集光点１３を形成する光束の外側に位置し、上記部分透過膜１０には、上記光束の外側の光ビームが照射されている。したがって、上記第１の光記録媒体９に上記第１の集光点１３を形成しない上記第１の光源１からの光ビームを上記光モニタ７に導くことができ、光量損失が無く、高倍速記録ディスクシステムに有用となる。
【００５０】
また、上記第２の光有効領域を上記第１の光有効領域よりも大きくしてもよく、または、上記第１の光有効領域と上記第２の光有効領域とを同じ大きさにしてもよい。さらに、上記部分透過膜１０および上記部分反射膜１１を、上記第１の光有効領域および上記第２の光有効領域の内側に配置してもよい。上記部分透過膜１０を、上記部分反射膜１１よりも内側に位置するようにしてもよい。
【００５１】
（第２の実施形態）
次に、図２は、この発明の光ピックアップ装置の他の実施形態である簡略構成図を示している。図２の光分離部材２１は、上記第１の光源１から放射される光ビームを略全て反射して上記対物レンズ８に導くと共に上記第２の光源２から放射される光ビームを略全て透過して上記対物レンズ８に導く第１の反射透過領域Ｚ１と、上記第１の光源１から放射される光ビームの一部を略全て透過させると共に上記第２の光源２から放射される光ビームの一部を略全て反射させる第２の反射透過領域Ｚ２とを有する。なお、その他の構造は、図１に示す上記第１の実施形態と同じであるため、その説明を省略する。
【００５２】
具体的に述べると、上記第１の反射透過領域Ｚ１を形成する第１の波長選択膜５ａと、上記第２の反射透過領域Ｚ２を形成する第２の波長選択膜５ｂとは、特性が反転している。
【００５３】
したがって、上記第２の反射透過領域Ｚ２は、上記第１の光源１からの光ビームの透過と、上記第２の光源２からの光ビームの反射とを兼用しているので、上記光分離部材２１を小さくできて、上記光分離部材２１の材料費および製造費を削減できる。なお、その他の作用効果は、図１に示す上記第１の実施形態と同じであるため、その説明を省略する。
【００５４】
また、上記第２の反射透過領域Ｚ２は、上記第２の光源２から放射されて上記第２の光記録媒体１２に第２の集光点１４を形成する光束の外側に位置し、上記第２の反射透過領域Ｚ２には、上記光束の外側の光ビームが照射されており、上記第２の光記録媒体１２に上記第２の集光点１４を形成しない上記第２の光源２からの光ビームを上記光モニタ７に導くことができ、光量損失が無く、高倍速記録ディスクシステムに有用となる。
【００５５】
なお、上記第２の反射透過領域Ｚ２は、上記第１の光源１から放射されて上記第１の光記録媒体９に上記第１の集光点１３を形成する光束の外側に位置し、上記第２の反射透過領域Ｚ２には、上記光束の外側の光ビームが照射されるようにしてもよく、上記第１の光記録媒体９に上記第１の集光点１３を形成しない上記第１の光源１からの光ビームを上記光モニタ７に導くことができ、光量損失が無く、高倍速記録ディスクシステムに有用となる。
【００５６】
なお、この発明は上述の実施形態に限定されず、例えば、上記部分透過膜１０の代わりに回折格子等を用いてもよく、また、上記部分反射膜１１の代わりに反射ミラー等を用いてもよい。
【図面の簡単な説明】
【００５７】
【図１】本発明の光ピックアップ装置の一実施形態を示す簡略構成図である。
【図２】本発明の光ピックアップ装置の他の実施形態を示す簡略構成図である。
【図３】従来の光ピックアップ装置を示す簡略構成図である。
【符号の説明】
【００５８】
１    第１の光源
２    第２の光源
５    波長選択膜
５ａ  第１の波長選択膜
５ｂ  第２の波長選択膜
７    光モニタ
８    対物レンズ
９    第１の光記録媒体
１０  部分透過膜（透過領域）
１１  部分反射膜（反射領域）
１２  第２の光記録媒体
１３  第１の集光点
１４  第２の集光点
２０，２１  光分離部材
Ｐ    透過領域
Ｒ    反射領域
Ｚ    反射透過領域
Ｚ１  第１の反射透過領域
Ｚ２  第２の反射透過領域
【図１】
2005122848.tif 000003
【図２】
2005122848.tif 000004
【図３】
2005122848.tif 000005